(57)【特許請求の範囲】
【請求項１】
計測装置内に、
上流側の下向き通路と前記下向き通路の途中に形成されたクランク状の屈曲部を介して前記下向き通路に連通する水平通路と下流側の上向き通路とで構成され略U字状に配設されたガス通路と、
前記水平通路に配置され前記ガス通路を流れるガスの流量を計測する流量計測部と、
前記屈曲部に設けた弁座と、
前記弁座の開閉を行う遮断弁と
を備えたガス計測装置において、
前記弁座は、前記下向き通路への突出部の先端に形成し、
前記突出部より下方の前記下向き通路にダスト受け部を設けた
ことを特徴とするガス計測装置。
【請求項２】
ガス通路に設けるダスト受け部を、遮断弁の弁座の下流側のガスの流れを乱れ難くする形状に形成したことを特徴とする請求項１記載のガス計測装置。
【発明の詳細な説明】
【０００１】
【発明の属する技術分野】
本発明はガス計測装置に関し、特にガス配管中に含まれるダストを超音波センサ等による流量計測部の前で除去して流量計測精度の向上を図ったガス計測装置に関するものである。
【０００２】
【従来の技術】
近年、ガスの使用量を瞬間流量で計測するために超音波センサを利用したものが検討され始めている。
【０００３】
従来の超音波センサを利用したガス計測装置について、図４を参照して説明する。計測装置内のガス通路１１には遮断弁１２が設けられている。遮断弁１２は、ガス通路１１中に設けられた弁座１３に押し当てることでガスを遮断するように構成されており、遮断弁１２の下部のガス通路１１は遮断弁１２に沿う形状に形成され、窪み等は設けられていない。そして、ガス通路１１の遮断弁１２より下流側に瞬間流量を計測する超音波センサ１５が配設されている。
【０００４】
【発明が解決しようとする課題】
しかしながら、ガス配管中に残っているガス管の切り粉等のダストがガス通路１１の超音波センサ１５を配設した部分に達すると、測定精度に影響を及ぼす恐れがあるという問題があった。
【０００５】
本発明は、上記従来の問題点に鑑み、ガス配管中に含まれるダストを流量計測部の前で除去して流量計測精度の向上を図ったガス計測装置を提供することを目的としている。
【０００６】
【課題を解決するための手段】
本発明のガス計測装置は、計測装置内に、上流側の下向き通路と前記下向き通路の途中に形成されたクランク状の屈曲部を介して前記下向き通路に連通する水平通路と下流側の上向き通路とで構成され略U字状に配設されたガス通路と、前記水平通路に配置され前記ガス通路を流れるガスの流量を計測する流量計測部と、前記屈曲部に設けた弁座と、前記弁座の開閉を行う遮断弁とを備えたガス計測装置において、前記弁座は、前記下向き通路への突出部の先端に形成し、前記突出部より下方の前記下向き通路にダスト受け部を設けたものであり、ダストが含まれたガスが流量計測部を通過する前にガス通路内でダストを取り除くことで、測定精度を向上することができる。
【０００７】
また、ガス通路に設けるダスト受け部を、遮断弁の弁座の下流側のガスの流れを乱れ難くする形状に形成すると、ダスト受け部によって流量計測部に向かうガス流れを整えることができ、一層測定精度を向上できる。
【００１０】
【発明の実施の形態】
以下、本発明の各実施形態のガス計測装置について図を参照して説明する。
【００１１】
（第１の実施形態）
本実施形態のガス計測装置について、図１を参照して説明する。計測装置内のガス通路１は、上流側の下向き通路１ａと中間の水平通路１ｂと下流側の上向き通路１ｃを有する略Ｕ字状に配設されており、上流側の下向き通路１ａに形成されたクランク状の屈曲部１ｄに遮断弁２が配設されている。即ち、遮断弁２は、ガス通路１の屈曲部１ｄに設けられた弁座３に上流側から弁体２ａを押し当てることでガスを遮断するように構成されている。ガス通路１の屈曲部１ｄにおける遮断弁２の弁座３の上流側下部に、ダストを集めるダスト受け部４が設けられている。そして、ガス通路１の水平通路１ｂにガスの瞬間流量を計測する超音波センサ５が配設されている。
【００１２】
以上の構成によれば、ダストが含まれたガスが超音波センサ５が配設されている水平通路１ｂに到達する前に、上流側の下向き通路１ａにおける弁座３の上流側下部に設けたダスト受け部４でダストを取り除くことができ、ダストが超音波センサ５の測定に悪影響を与えることがなく、ダストの影響を受け易い超音波センサ５の測定精度を向上することができる。
【００１３】
（第２の実施形態）
次に、本実施形態のガス計測装置を図２を参照して説明する。なお、上記第１の実施形態と同一の構成要素については同一参照符号を付して説明を省略し、相違点のみを説明する。
【００１４】
本実施形態では、ダスト受け部４を設けるとともに、このダスト受け部４における弁座３の下流側のガス通路１に臨む部分の形状をガスの流れを乱し難くする形状にして整流部６を設けている。
【００１５】
この構成によれば、遮断弁２から流れ出たガスの流れの乱れを、整流部６で抑えることができ、超音波センサ５の上流側でダストを取り除くとともに、ガスが遮断弁２を通過する時に生じる流れの乱れによるガス流量測定への影響を抑制することができて、精度の良い計測を行うことができる。
【００１６】
（第３の実施形態）
次に、本実施形態のガス計測装置を図３を参照して説明する。なお、上記第２の実施形態と同一の構成要素については同一参照符号を付して説明を省略し、相違点のみを説明する。
【００１７】
本実施形態では、ダスト受け部４を設けるとともに、そのダスト受け部４にダストを吸着させる吸着材７を配設している。吸着材７は、ダスト受け部４の内面全面に吸着作用のある例えば接着剤や粘着剤などを塗着したり、多孔性の吸着部材を配置して構成することができる。
【００１８】
この構成によれば、超音波センサ５の上流側でより多くのダストを取り除くことができるとともに、捕集したダストが再び流出することがなく、ガス流量測定時にダストによる計測への影響を抑えることができて、精度の良い計測を行うことができる。
【００１９】
【発明の効果】
本発明のガス計測装置によれば、以上の説明から明らかなように、ガス通路における遮断弁の弁座の上流側下部にダスト受け部を設けたので、ダストが含まれたガスが流量計測部を通過する前にガス通路内でダストを取り除くことで、測定精度を向上することができる。
【００２０】
また、ガス通路に設けるダスト受け部を、遮断弁の弁座の下流側のガスの流れを乱れ難くする形状に形成すると、ダスト受け部によってガスの流れを整えることができ、一層測定精度を向上できる。
【００２１】
また、ダスト受け部に、ダスト吸着材を配設すると、より確実にダストを取り除くことができる。
【００２２】
また、流量計測部が超音波センサにて瞬間流量を計測するものであると、ダストの影響を受け易いので、上記効果がより顕著に発揮される。
【図面の簡単な説明】
【図１】本発明の第１の実施形態のガス計測装置の構成図である。
【図２】本発明の第２の実施形態のガス計測装置の構成図である。
【図３】本発明の第３の実施形態のガス計測装置の構成図である。
【図４】従来例のガス計測装置の構成図である。
【符号の説明】
１  ガス通路
２  遮断弁
３  弁座
４  ダスト受け部
５  超音波センサ
６  整流部
７  吸着材
【図１】
0004499245.tif 000002
【図２】
0004499245.tif 000003
【図３】
0004499245.tif 000004
【図４】
0004499245.tif 000005